(57)【要約】【課題】  選択した用紙サイズと実際に給紙された用紙サイズにミスマッチが発生しても、印刷操作性を維持向上することができるようにする。【解決手段】  搬送部９は指示に基づき給紙された用紙を搬送する。印刷部１３は搬送部９で搬送された用紙に画像データを画像形成して印刷する。検出部１１は搬送された印刷前の用紙のサイズを検出する。印刷制御部１９は検出部１１の検出結果が指示に係る用紙のサイズと異なるとき、搬送部９の搬送と印刷部１３の印刷を停止制御する。印刷制御部１９は、用紙のサイズと異なっていても、検出部１１の検出結果が所定の印刷継続範囲内にあると判別したとき、用紙の搬送および印刷を続行制御する。【選択図】  図１
2011088710.tif 000002
【特許請求の範囲】
【請求項１】
指示に基づき給紙された用紙を搬送する搬送部と、
この搬送部で搬送された前記用紙に画像データを画像形成して印刷する印刷部と、
搬送された印刷前の前記用紙のサイズを検出する検出部と、
この検出部の検出結果が前記指示に係る前記用紙のサイズと異なるとき、前記搬送部の搬送および前記印刷部の印刷を停止制御する印刷制御部と、
を具備し、
前記印刷制御部は、前記検出部の検出結果が所定の印刷継続範囲内にあると判別したとき、前記搬送部の搬送および前記印刷部の印刷を続行制御することを特徴とする画像形成装置。
【請求項２】
前記印刷制御部は、搬送された前記用紙のサイズが予め設定された許容用紙サイズ内にあるとき前記印刷継続範囲内にあると判別する請求項１記載の画像形成装置。
【請求項３】
前記印刷制御部は、搬送された用紙に前記画像データが収まるとき前記印刷継続範囲内にあると判別する請求項１記載の画像形成装置。
【請求項４】
前記印刷制御部は、前記続行制御以降の前記用紙を特定トレイに排紙制御する請求項１〜３いずれか１記載の画像形成装置。
【請求項５】
請求項１〜３いずれか１記載の画像形成装置と、前記搬送部に連結され、印刷された前記用紙に後処理する後処理装置とを有し、前記印刷制御部は、前記続行制御以降の前記用紙を前記後処理装置における特定トレイに排紙制御することを特徴とする画像形成システム。
【請求項６】
指示に基づき給紙された用紙を搬送する搬送処理と、
この搬送処理された前記用紙に画像データを画像形成して印刷する印刷処理と、
搬送された印刷前の前記用紙のサイズを検出する検出処理と、
この検出処理による検出結果が前記指示に係る前記用紙のサイズと異なるとき、前記用紙の搬送および前記印刷を停止制御する停止制御処理と、
前記用紙のサイズと異なっていても前記検出結果が所定の印刷継続範囲内にあると判別したとき、前記搬送および前記印刷を続行制御する続行制御処理と、
を具備することを特徴とする画像形成装置の用紙処理方法。
【請求項７】
前記続行制御処理は、搬送された前記用紙のサイズが予め設定された許容用紙サイズ内にあるとき前記印刷継続範囲内にあると判別する請求項６記載の画像形成装置の用紙処理方法。
【請求項８】
前記続行制御処理は、搬送された用紙に前記画像データが収まるとき前記印刷継続範囲内にあると判別する請求項６記載の画像形成装置の用紙処理方法。
【請求項９】
前記続行制御処理は、前記続行制御以降の前記用紙を特定トレイに排紙制御する請求項６〜８いずれか１記載の画像形成装置の用紙処理方法。
【請求項１０】
前記続行制御処理は、印刷された前記用紙に後処理をする後処理装置に対し、前記続行制御以降の前記用紙を前記後処理装置における特定トレイに排紙制御する請求項６〜８いずれか１記載の画像形成装置の用紙処理方法。
【発明の詳細な説明】
【技術分野】
【０００１】
本発明は画像形成装置、画像形成システムおよび画像形成装置の用紙処理方法に係り、例えば複合機（ＭＦＰ：Multi Function Peripheral）等の画像形成装置、これを用いた画像形成システム、および当該画像形成装置に搭載して好適する用紙処理方法の改良に関する。
【背景技術】
【０００２】
従来、画像形成装置は、複数の給紙段の用紙を選択して搬送する一方、原稿から読み取った画像データに基づき回転感光体の表面に潜像を形成し、トナーカセットから供給したトナーによってその潜像にトナー像を形成し、その回転感光体からその搬送用紙にトナー像を転写させ、そのトナー像を定着部にて用紙に定着させて排紙する構成が良く知られている。
【０００３】
そして、この種の画像形成装置では、選択された用紙サイズと長さの異なる用紙が給紙段等に混在してしまった場合や不定形サイズの用紙が選択された場合、選択された用紙と実際に搬送される用紙とのサイズミスマッチが生じてトナー像転写不良やジャム（ＪＡＭ）が発生することがある。
【０００４】
そこで、用紙の搬送路に配置したレジストセンサにて搬送方向の用紙のサイズを計測し、選択されている用紙の用紙長と異なる場合、用紙のサイズミスマッチを表示するとともに、搬送動作や印刷動作を中断している。
【０００５】
また、選択された用紙が正しく給紙搬送された場合であっても、レジストセンサ付近を用紙が通過する際に、レジストセンサによる用紙後端の検出タイミングがずれて用紙が実際よりも長いと検出される場合もあり、用紙のサイズミスマッチ状態と同様の状態が発生する可能性もある。
【０００６】
従来、これを解決するための公知技術として、例えば特開２００５−１９４０２０号公報（特許文献１）のような手差し機能付き記録装置が提案されている。
【０００７】
この特許文献１は、手差し給紙部と、用紙サイズを操作により入力する第１の用紙サイズ入力手段と、給紙される用紙のサイズを検出し、検出した用紙サイズを入力する第２の用紙サイズ入力手段とを備え、不定形サイズの用紙に対して印刷効率を下げず、操作に頒雑感を与えることなく給紙用紙サイズを適性に確定できるようにしたものである。
【先行技術文献】
【特許文献】
【０００８】
【特許文献１】特開２００５−１９４０２０号公報
【発明の概要】
【発明が解決しようとする課題】
【０００９】
しかし、上述した特許文献１では、用紙のサイズミスマッチ時に印刷を止めてしまっているが、用紙搬送等において支障がなければ、印刷を止めずにそのまま出力を継続させた方が効率が良いから、用紙サイズにミスマッチがあった場合、操作性を向上させるには改善の余地がある。
【００１０】
もっとも、画像データが、ステープル処理、パンチ処理、中綴じ処理等の後処理（フィニッシャ）等を行うジョブであれば、用紙のサイズミスマッチ状態で印刷継続して後処理を実施すると、ジャムやステープル不良等の問題が発生することが考えられ、単純に、そのまま後処理への出力継続させるのは好ましくなく、特別な工夫を必要である。
【００１１】
本発明はそのような課題を解決するためになされたもので、印刷する用紙サイズにミスマッチが発生しても、印刷操作性を維持向上することが可能で、印刷排紙された用紙を扱い易い画像形成装置、画像形成システムおよび画像形成装置の用紙処理方法の提供を目的とする。
【課題を解決するための手段】
【００１２】
そのような課題を解決するために本発明の請求項１に係る画像形成装置は、指示に基づき給紙された用紙を搬送する搬送部と、この搬送部で搬送された用紙に画像データを画像形成して印刷する印刷部と、搬送された印刷前の用紙のサイズを検出する検出部と、この検出部の検出結果が指示に係る用紙のサイズと異なるとき、その搬送部の搬送および印刷部の印刷を停止制御する印刷制御部とを具備し、その印刷制御部は、その検出部の検出結果が所定の印刷継続範囲内にあると判別したとき、その搬送部の搬送および印刷部の印刷を続行制御することを特徴としている。
【００１３】
本発明の請求項２に係る画像形成装置は、上記印刷制御部が、搬送された用紙のサイズが予め設定された許容用紙サイズ内にあるとき上記印刷継続範囲内にあると判別する構成を有している。
【００１４】
本発明の請求項３に係る画像形成装置は、上記印刷制御部が、搬送された用紙にその画像データが収まるときその印刷継続範囲内にあると判別する構成を有している。
【００１５】
本発明の請求項４に係る画像形成装置は、上記印刷制御部が、その続行制御以降の用紙を特定トレイに排紙制御する構成を有している。
【００１６】
本発明の請求項５に係る画像形成システムは、請求項１〜３いずれか１記載の画像形成装置と、上記搬送部に連結され、印刷された用紙に後処理する後処理装置とを有し、上記印刷制御部が、その続行制御以降の用紙を後処理装置における特定トレイに排紙制御する構成を有している。
【００１７】
本発明の請求項６に係る用紙処理方法は、指示に基づき給紙された用紙を搬送する搬送処理と、この搬送処理された用紙に画像データを画像形成して印刷する印刷処理と、搬送された印刷前の用紙のサイズを検出する検出処理と、この検出処理による検出結果が指示に係る用紙のサイズと異なるとき、その用紙の搬送および印刷を停止制御する停止制御処理と、用紙のサイズと異なっても、その検出結果が所定の印刷継続範囲内にあると判別したとき、その用紙の搬送および印刷を続行制御する続行制御処理とを具備している。
【００１８】
本発明の請求項７に係る用紙処理方法は、上記続行制御処理が、搬送された用紙のサイズが予め設定された許容用紙サイズ内にあるとき印刷継続範囲内にあると判別する構成を有している。
【００１９】
本発明の請求項８に係る用紙処理方法は、上記続行制御処理が、搬送された用紙に画像データが収まるとき印刷継続範囲内にあると判別する構成を有している。
【００２０】
本発明の請求項９に係る画像形成装置の用紙処理方法は、上記続行制御処理が、その続行制御以降の用紙を特定トレイに排紙制御する構成を有している。
【００２１】
本発明の請求項１０に係る用紙処理方法は、上記続行制御処理が、印刷された用紙に後処理をする後処理装置に対し、その続行制御以降の用紙を後処理装置における特定トレイに排紙制御する構成となっている。
【発明の効果】
【００２２】
このような本発明の請求項１、６に係る画像形成装置および用紙処理方法では、指示に基づき給紙された用紙を搬送する過程で、印刷前の用紙のサイズを検出し、この検出結果が指示に係る用紙のサイズと異なるとき、その用紙の搬送と印刷を停止する一方、用紙のサイズと異なっていても、その検出結果が所定の印刷継続範囲内にあれば、用紙の搬送および印刷を続行制御するから、印刷する用紙に寸法ミスマッチが発生しても用紙の搬送および印刷を継続させ、印刷操作性を維持向上させることが可能で、印刷排紙された用紙を扱い易くすることが可能である。
【００２３】
本発明の請求項２、７に係る画像形成装置および用紙処理方法では、搬送された用紙のサイズが予め設定された許容用紙サイズ内にあるとき印刷継続範囲内にある判別して続行制御するから、用紙のサイズが多少異なっていても用紙の搬送および印刷を続行制御し、上述した効果を得ることが可能である。
【００２４】
本発明の請求項３、８に係る画像形成装置および用紙処理方法では、搬送された用紙に画像データが収まるとき印刷継続範囲内にあると判別して続行制御するから、用紙のサイズが多少異なっていても用紙への画像形成に支障がない状況では、用紙の搬送および印刷を続行制御し、上述した効果を得ることが可能である。
【００２５】
本発明の請求項４、９に係る画像形成装置および用紙処理方法では、その続行制御以降の用紙を特定トレイに排紙制御するから、サイズの異なる用紙より前と後と間で区分けすることが可能で、印刷排紙された用紙の扱いがより一層向上する。
【００２６】
本発明の請求項５、１０に係る画像形成システムおよび用紙処理方法では、印刷された用紙に後処理をする後処理装置に対し、その続行制御以降の用紙を後処理装置における特定トレイに排紙制御するから、後処理装置を連結した構成において、サイズの異なる用紙より前と後と間で区分けすることが可能で、後処理された用紙の扱いがより一層向上する。
【図面の簡単な説明】
【００２７】
【図１】本発明に係る画像形成装置を画像形成システムとともに示す概略ブロック図である。
【図２】図１の画像形成システムを示す概略内部構成図である。
【図３】図１の操作パネル部を説明する図である。
【図４】本発明における画像形成システムの動作を説明するフローチャートである。
【図５】本発明における画像形成装置の動作を説明する図である。
【発明を実施するための形態】
【００２８】
以下、本発明の実施の形態を図面を参照して説明する。なお、本発明に係る用紙処理方法は本発明の画像形成装置を説明する過程で説明する。
【００２９】
図１は本発明に係る画像形成装置の実施の一形態を示す概略ブロック図であり、これを含む画像形成システムで示すものである。
【００３０】
図１において、画像形成システムは、本発明の画像形成装置Ａおよびこれに外部的に連結された後処理装置Ｂを有して構成されている。
【００３１】
まず、画像形成装置Ａから説明する。
【００３２】
画像形成装置Ａは、主制御部１を中心にして画像読取部３、記憶部５、操作パネル部７、搬送部９、レジストセンサ１１および印刷部１３を有し、例えば複合機を構成している。画像形成装置Ａとしてはこれ以外にも種々の構成を有するが、本発明の要部ではないので説明および図示を省略する。
【００３３】
主制御部１は、画像読取部３、記憶部５、操作パネル部７、検出部９、印刷部１３および後処理装置Ｂを制御するものであるが、詳細は後述する。
【００３４】
画像読取部３は、例えば図２の画像形成装置Ａにおいて、本体ケース１５の上部に配置され、主制御部１の制御の下、例えば印刷された原稿から画像を光学的に読み込み、フィルタ処理等をして電子的画像データを生成する公知のスキャナー等であり、生成した画像データが原稿の頁毎に記憶部５に順次記憶されるようになっている。画像形成装置Ａの内部構成については後述する。
【００３５】
記憶部５は、画像読取部３からの画像データ、主制御部１の動作プログラムの他、用紙に係る副走査方向サイズ、後述する印刷許容範囲データ等を格納する読み書き可能な例えばハードディスク（ＨＤＤ）である。
【００３６】
印刷許容範囲データは、後述するように、操作パネル部７によって指定される用紙に対して印刷動作を許容する用紙サイズや用紙種類を関連づけた一覧テーブルであり、指定された用紙の搬送方向（副走査方向）の寸法に対して、何割増しか大きな用紙長さを許容用紙サイズとするものである。
【００３７】
例えば、Ｂ５の指定用紙に対してこれより大きなＡ４用紙長までを許容用紙サイズとし、Ａ４の指定用紙に対してこれより大きなＢ４用紙長までを許容用紙サイズとし、Ｂ４の指定用紙に対してこれより大きなＡ３用紙長までを許容用紙サイズとして一覧テーブルにし、予め設定されたものである。
【００３８】
操作パネル部７は、例えば図２の画像形成装置Ａの本体ケース１５の上部に配置され、画像形成装置Ａの動作状態を表示する液晶形の表示部として機能するとともに、印刷する用紙である用紙の選択、印刷の実行又は中止、印刷部数等の指示入力部としての機能しており、主制御部１によって制御される。
【００３９】
例えば、図３に示すように、操作パネル部７において「Ｂ５」、「Ａ４」、「Ｂ４」、「Ａ３」、「不定形」等の用紙の選択キー７ａが表示され、これら選択キー７ａのタッチ操作によって選択指示情報が主制御部１に出力されるようになっている。
【００４０】
図１の搬送部９は、図２に示すように、本体ケース１５の下部に配置され用紙のセットされる複数の給紙段１７ａ、１７ｂ、１７ｃ（図では３個示す。）と、給紙段１７ａ〜１７ｃから用紙を１次給紙して排紙口１９まで順次搬送する搬送路を形成する機構であり、複数のローラによって形成されている。符号１７ｃは手差しトレイである。
【００４１】
搬送部９の途中に、レジストセンサ１１および印刷部１３が配置されている。レジストセンサ１１は、搬送部９の途中における印刷部１３の手前に配置された検出部であり、給紙段１７ａ〜１７ｃから１次給紙された用紙の印刷部１３側への２次給紙タイミングを調整する機能を有するとともに、搬送されて到着した用紙の先端を検知（オン）してから後端を検知（オフ）するまでの距離をカウント計測し、２次給紙する用紙の搬送方向長（副走査方向サイズ）を検出し、これを主制御部１に出力する機能を有している。
【００４２】
印刷部１３は、図２の画像形成装置Ａの本体ケース１５内に配置され、レジストセンサ１１で２次給紙された用紙に対し、画像データに基づくトナー像を画像形成して転写する転写部２１と、トナー像の転写された用紙を加熱定着する定着部２３等を有するモノクロ印刷又はカラー印刷する機能を有している。
【００４３】
主制御部１は、ＣＰＵ、このＣＰＵの起動プログラムを格納した作業用メモリ部、入出力インターフェース（いずれも図示せず。）を有し、上述した画像読取部３、記憶部５、操作パネル部７、搬送部９、レジストセンサ１１、印刷部１３および後処理装置Ｂを制御するとともにその一部を担っている。
【００４４】
主制御部１は、操作パネル部７からの指示に基づき給紙段１７ａ〜１７ｃから用紙を給紙制御し、選択給紙された用紙を搬送制御し、記憶部５の画像データを用紙に画像形成して印刷制御し、排紙するよう搬送部９および印刷部１３を制御する機能を有している。
【００４５】
主制御部１は、指示に係る用紙のサイズを記憶部５から取込み、そのサイズとレジストセンサ１１の検出結果とが異なるとき、用紙の搬送を停止するよう搬送部９を停止制御するとともに、印刷部１３の印刷を停止するよう停止制御する印刷制御部１９としての機能を有している。
【００４６】
すなわち、印刷制御部１９は、操作パネル部７の選択キー７ａによる選択がＡ４の用紙であるところ、給紙段１７ａ〜１７ｃにおける用紙セットミス等に起因し、レジストセンサ１１の検出結果がそれより長い又は短いとき、搬送部９および印刷部１３に対して搬送動作および印刷動作を停止制御し、その旨操作パネル部７に表示制御する機能を有している。図３中の符号７ｂは警告表示である。
【００４７】
印刷制御部１９は、レジストセンサ１１の検出結果が所定の印刷継続範囲内にあると判別したとき、搬送部９を搬送を続行制御するとともに印刷部１３の印刷を続行制御する機能を有している。
【００４８】
すなわち、印刷制御部１９は、レジストセンサ１１の検出結果である搬送された用紙のサイズが予め設定された許容用紙サイズ内にあるとき印刷継続範囲内にあると判別し、搬送部９および印刷部１３を続行制御する機能を有している。
【００４９】
主制御部１は、画像データが後処理指示を含むものであれば、後述するように後処理装置Ｂに後処理指示信号を出力し、ステープル処理およびパンチ処理等の後処理の実行を制御する機能も有している。
【００５０】
印刷制御部１９は、印刷継続範囲内にあると判別したとき、後述する後処理装置Ｂに対して後処理キャンセル信号を出力する機能を有している。
【００５１】
次に、画像形成装置Ａに連結接続された後処理装置Ｂを説明する。
【００５２】
後処理装置Ｂは、図１に示すように、画像形成装置Ａの主制御部１に接続されたステープル処理部２５、パンチ処理部２７および後処理制御部２９等を有して構成されている。後処理装置Ｂは、それら以外の構成も有するが、本発明の要部ではないから説明および図示を省略する。
【００５３】
ステープル処理部２５は、後処理制御部２９の制御の下、画像形成装置Ａからの後処理指示情報に基づき、画像形成装置Ａから搬入された用紙を部毎にピンで止めるステープル処理をする機構部である。
【００５４】
パンチ処理部２７は、後処理制御部２９の制御の下、画像形成装置Ａからの後処理指示情報に基づき、画像形成装置Ａから搬入された部毎の用紙にパンチ孔を空けるパンチ処理を部毎に実行する機構部である。
【００５５】
後処理制御部２９は、ＣＰＵ、このＣＰＵの動作プログラムを記憶した記憶部（いずれも図示せず。）からなり、主制御部１からの後処理指示情報に基づき、それらステープル処理部２５およびパンチ処理部２７に対し、ステープル処理およびパンチ処理を実行制御する機能を有している。
【００５６】
後処理制御部２９は、主制御部１からの後処理キャンセル信号に基づき、該当するパンチ処理又はステープル処理の継続をキャンセルするとともに、当該後処理キャンセル信号以降の用紙を後述する特定トレイ３７に排紙制御する機能を有している。
【００５７】
なお、図２中の符号３１は搬入口３３から搬入された部毎の用紙をステープル処理部２５およびパンチ処理部２７へ搬送したり、それらの処理が済んだ用紙を排紙トレイ３５、特定トレイ３７へ切換え搬送するレバーである。
【００５８】
次に、本発明に係る画像形成装置の動作を図４のフローチャートを参照して説明する。
【００５９】
ユーザが操作パネル部７の選択キー７ａをタッチして用紙を選択すると動作プログラムが開始されて用紙が搬送され（搬送処理）、ステップＳ１にてレジストセンサ１１が用紙先端の到来を待ち、用紙が到来してレジストセンサ１１がオンしてステップＳ１がＹＥＳになると、ステップＳ２にて用紙サイズの計測カウントを開始し、ステップＳ３にて用紙後端の到来によってレジストセンサ１１がオフになるまでステップＳ２、Ｓ３を繰り返して用紙サイズを計測する（検出処理）。
【００６０】
用紙後端が到来してレジストセンサ１１がオフになってステップＳ３がＹＥＳになれば（検出処理）、ステップＳ４にてカウント値が設定範囲内か否か印刷制御部１９が判別し、範囲内であってステップＳ４がＹＥＳであれば、ステップＳ５にて通常の印刷処理を実行して終了する。
【００６１】
カウント値が設定範囲から外れてステップＳ４がＮＯであれば、ステップＳ６にて印刷制御部１９が印刷継続範囲（印刷可能範囲）内にあるか否か判別し、印刷継続範囲から外れていてステップＳ６がＮＯであれば、ステップＳ７にて印刷制御部１９が搬送部９および印刷部１３を停止制御処理し、図３に示すように警告表示処理して終了する。
【００６２】
他方、印刷継続範囲内であってステップＳ６がＹＥＳであれば、ステップＳ８にて印刷制御部１９が後処理装置Ｂの連結有無を判別し、後処理装置Ｂが連結されていなくてステップＳ８がＮＯであれば、ステップＳ５を経て終了する。
【００６３】
後処理装置Ｂが連結されていてステップＳ８がＹＥＳであれば、ステップＳ９にて印刷制御部１９が当該頁以降の用紙の排出先を特定トレイに変更するよう後処理装置Ｂを制御し（続行制御処理）、続くステップＳ１０にて印刷制御部１９が後処理装置Ｂに対して後処理キャンセル要求（続行制御処理）するとともに印刷処理して終了する。
【００６４】
これらの処理が本発明の用紙処理方法に相当する。
【００６５】
そのため、例えば図５Ａのように、用紙が操作パネル部７にて指定された用紙１であり、検出された長さが用紙２であって大きくても、用紙１の印刷継続範囲内にあれば、印刷が継続される。
【００６６】
このように本発明に係る画像形成装置Ａでは、指示に基づき給紙された用紙を搬送する搬送部９と、この搬送部９で搬送された用紙に画像データを印刷する印刷部１３と、搬送された印刷前の用紙のサイズを検出するレジストセンサ（検出部）１１と、このレジストセンサ１１の検出結果が指示に係る用紙のサイズと異なるとき、その搬送部の搬送を停止制御するとともに、その印刷部の印刷を停止制御する印刷制御部１９とを具備し、その印刷制御部１９は、そのレジストセンサ１１の検出結果が所定の印刷継続範囲内にあると判別したとき、その搬送部９の搬送を続行制御するとともに印刷部１３の印刷を続行制御することを特徴としている。
【００６７】
そのため、指定された用紙と、実際に給紙された用紙のサイズにミスマッチが発生しても、印刷継続範囲内であれば印刷が継続される。
【００６８】
従って、用紙のサイズミスマッチ解除待ちによる次の印刷ジョブ待ちを少なくしたり軽減可能であり、印刷操作性を維持向上することが可能で、印刷排紙された用紙を扱い易い。
【００６９】
例えば、搬送された用紙のサイズが予め設定された許容用紙サイズ内にあるとき印刷継続範囲内にある判別して続行制御するから、用紙のサイズが多少異なっていても用紙の搬送および印刷を続行制御し、上述した効果を得ることが可能である。
【００７０】
もっとも、本発明の画像形成装置では、予め設定された用紙の許容用紙サイズに基づき印刷継続範囲内にあると判別する構成に限定されず、搬送された用紙領域内に画像データが収まる範囲としての印刷継続範囲内にあるとき、続行制御する構成も可能であり、これに合わせて印刷制御部１９を形成すれば良い。
【００７１】
例えば、選択された用紙のサイズよりも検出された用紙サイズが小さくても、図５Ｂに示すように、画像データが１頁分の画像イメージとして展開された状態に対して、当該１頁分の画像イメージが用紙３に収まる状態にあれば、印刷継続範囲内にあると判別することが可能であり、用紙のサイズが多少異なっていても用紙への画像形成に支障がない状況では、用紙の搬送および印刷を続行制御し、上述した効果を得ることが可能である。
【００７２】
そして、本発明の画像形成装置では、印刷された用紙に後処理する後処理装置Ｂに対し、その続行制御以降の用紙を後処理装置Ｂにおける特定トレイ３７に排紙制御するから、後処理装置Ｂを連結した構成において、それ以前の異なる用紙と間で区分けすることが可能で、後処理された用紙の扱いがより一層向上する。
【００７３】
もっとも、後処理装置Ｂが連結されない構成もあり、この構成では、続行制御以降の用紙を特定トレイ３７、図２中の例えば胴内トレイ３９に排紙制御するよう印刷制御部１９を形成すれば良い。特定トレイ３７に排紙された用紙は、後でマニュアル処理して整えることが容易である。
【００７４】
図２中の符号４１は、用紙を後処理装置Ｂと胴内トレイ３９は振り分けるレバーであり、印刷制御部１９によって制御される。
【００７５】
このような構成でも、それ以前の異なる用紙との間で区分けすることが可能で、印刷排紙された用紙の扱いがより一層向上する。
【００７６】
また、本発明の画像形成装置Ａにおいて、用紙としては紙用紙に限らず、合成樹脂シート等種々のシート媒体で実施可能である。
【００７７】
さらに、本発明の画像形成装置Ａは、複写機、ファクシミリ機、複合機等の画像形成装置において実施可能である。
【００７８】
さらにまた、本発明に係る画像形成システムおよび用紙処理方法も、上述した本発明の画像形成装置Ａと同様の効果を有する。
【符号の説明】
【００７９】
１  主制御部
３  画像読取部
５  記憶部
７  操作パネル部（入力部）
７ａ  選択キー
７ｂ  警告表示
９  搬送部
１１  レジストセンサ（検出部）
１３  印刷部
１５  本体ケース
１７ａ、１７ｂ  給紙段
１７ｃ  手差しトレイ（給紙段）
１９  排紙口
２１  転写部
２３  定着部
２５  ステープル処理部
２７  パンチ処理部
２９  後処理制御部
３１、４１  レバー
３３  搬入口
３５  排紙トレイ
３７  特定トレイ
３９  胴内トレイ（特定トレイ）
Ａ  画像形成装置
Ｂ  後処理装置
【図１】
2011088710.tif 000003
【図２】
2011088710.tif 000004
【図３】
2011088710.tif 000005
【図４】
2011088710.tif 000006
【図５】
2011088710.tif 000007